(57)【要約】  【課題】  本体外郭部材の部品構成を簡素化するとともに、組立作業を簡便化することができる加熱調理装置を提供する。  【解決手段】  本体外郭部材３は、１つの板材を平面視略凸字形状に打ち抜き、矢印で示すようにして、右側面板１７，左側面板１８，及び後面板１９を、それぞれ稜線部分ｃ，ｄ，ｅに沿って曲げ起こした後、後面板１９と右側面板１７との稜線、及び後面板１９と左側面板１８との稜線を接合して形成される。具体的には、右側面板１７の後端部に設けた接合しろ１７ａと後面板１９の右端部との間、及び左側面板１８の後端部に設けた接合しろ１８ａと後面板１９の左端部との間に、それぞれスポット溶接Ｓを施すことにより、各稜線を接合していわゆる接合稜線部と成す。【選択図】      図５
2005077080.tif 000002
【特許請求の範囲】
【請求項１】
本体がキャビネットに組み込まれて供されるビルトイン式の加熱調理装置において、
本体外郭を構成する底面板と左右側面板と後面板とを一体成形したことを特徴とする加熱調理装置。
【請求項２】
前記左右側面板と後面板との接合稜線部は、その接合部材が外部に突設しないようにして成ることを特徴とする請求項１に記載の加熱調理装置。
【請求項３】
前記底面板と左右側面板、及び底面板と後面板の折り曲げ稜線部に沿って、断続する穴を設けたことを特徴とする請求項１又は請求項２に記載の加熱調理装置。
【発明の詳細な説明】
【技術分野】
【０００１】
本発明は、底面の大きさに対し高さの低い加熱調理装置に関するものであり、特に、ビルトイン式の電磁調理器等の加熱調理装置に関するものである。
【背景技術】
【０００２】
従来より、加熱調理装置として、このようなビルトイン式の電磁調理器等が知られている。図７は、このような従来の電磁調理器の分解斜視図である。同図に示すように、天面の開かれた箱状の本体外郭部材３には、各矢印で示すように、上方向からグリル手段４及びこれに隣接して高周波発振基板７が組み込まれている。このグリル手段４内部にはグリルヒーター５が組み込まれており、後部にはグリル排気ダクト６が設けられている。また、高周波発振基板７後部には冷却ファン８が設けられている。
【０００３】
グリル手段４及び高周波発振基板７の上側には、加熱コイル９及びラジエントヒーター１０が取り付けられており、本体外郭部材３の天面外郭には、これに蓋をするようにトッププレート１１が取り付けられている。トッププレート１１後部上面には、排気カバー１２が設けられている。また、本体外郭部材３の前面には前面飾り枠１３が取り付けられている。そして、前面飾り枠１３にはコントロールパネル１４がはめ込まれ、これに隣接してグリル受け皿と一体になっているグリル扉１５が着脱可能な状態で取り付けられている。
【０００４】
図８は、従来の電磁調理器における本体外郭部材の分解斜視図である。同図に示すように、本体外郭部材３は、底面板１６，右側面板１７，左側面板１８，及び後面板１９で構成され、ネジａ，ｂにより各板の端部同士が締結されて組み立てられている。その他、従来より電子レンジ等においては、底面板と後面板とを１つの部材で構成したものが提案，商品化されている（例えば、特許文献１参照。）。
【特許文献１】特開平８−２１９４６７号公報
【発明の開示】
【発明が解決しようとする課題】
【０００５】
しかしながら、上記従来の電磁調理器における本体外郭部材は、各面の板部材をネジ等により組み立てるため構成部材も多く、また組立作業にも時間を費やしていた。また、組立にネジやリベット等を使用すると、頭部が外郭より突出するため、加熱調理装置をキャビネットに組み込む際に傷を付ける恐れがあった。
【０００６】
一方、上記特許文献１に関連して、電子レンジのように底面の大きさに対し高さの割合が大きい機器において、図９に示すように、底面板１６，右側面板１７，左側面板１８，及び後面板１９を、１つの板材を成形加工して構成すると、斜線部で表されるように、材料の無駄になって捨てなければならない割合が大きくなり、かえって不経済になるため提案されていない。
【０００７】
また、一般の機器において、左右の側面は商品価値にかかわる重要な外観部分であり、底面板と左右側面板を１つの板材で成形加工することなど論外であった。本発明は、上記従来技術の問題点に鑑みなされたものであり、本体外郭部材の部品構成を簡素化するとともに、組立作業を簡便化することができる加熱調理装置を提供することを目的とする。
【課題を解決するための手段】
【０００８】
上記目的を達成するために、本発明では、本体外郭を構成する底面板と左右側面板と後面板とを一体成形している。また、前記左右側面板と後面板との接合稜線部は、その接合部材が外部に突設しないようにして成る。さらに、前記底面板と左右側面板、及び底面板と後面板の折り曲げ稜線部に沿って、断続する穴を設けている。
【発明の効果】
【０００９】
本発明によれば、本体外郭部材の部品構成を簡素化するとともに、組立作業を簡便化することができる加熱調理装置を提供することができる。
【００１０】
具体的には、本体外郭を構成する底面板と左右側面板と後面板とを一体成形することにより、後面板と左右側面板との稜線を接合するだけで、容易に本体外郭部材を構成できる。
【００１１】
また、接合稜線部では接合部材が外部に突設しない構成とすることにより、加熱調理装置をキャビネットに組み込む際の、キャビネットへの傷つきは排除される。
【００１２】
また、折り曲げ稜線部に沿って断続する穴を設けることにより、人の手のような小さい力によっても容易に曲げることができる。
【発明を実施するための最良の形態】
【００１３】
以下、本発明の実施の形態について、図面を参照しながら説明する。なお、上記従来技術と共通する部分には同一の符号を付して、詳細な説明を適宜省略する。本発明の加熱調理装置の本体外郭部材は、底面板，左右側面板，及び後面板を、１つの板材を成形加工して構成するものである。この場合、底面板と左右側面板、及び底面板と後面板の稜線は、元々繋がっているいわゆる折り曲げ稜線部となっており、後面板と左右側面板との稜線を接合するだけで、容易に本体外郭部材を構成できる。
【実施例１】
【００１４】
図１は、本発明の一実施例に係る加熱調理装置の外観斜視図であり、電磁調理器の設置状態を示している。また図２は、同じく加熱調理装置の外観斜視図であり、電磁調理器本体の外観を示している。本実施例の加熱調理装置は、ビルトイン式電磁調理器としており、図１に示すように、電磁調理器１がキャビネット２に組み込まれた状態では、外観に現れるのは前面と天面のみであり、底面，後面，及び左右側面は一切外観に現れない。
【００１５】
また、ビルトイン式電磁調理器等の加熱調理装置は、底面の大きさに対し高さの割合が小さい、いわゆる偏平な形状の商品であり、図３に示すように、底面板１６，右側面板１７，左側面板１８，及び後面板１９を、１つの板材で成形加工し構成しても、斜線部であらわされるように材料の無駄が少なく、部品構成を簡素化するとともに組立作業を簡便化する効果のほうが大きい。
【００１６】
図４は、本実施例に係る本体外郭部材の展開斜視図である。同図に示すように、本体外郭部材３は、１つの板材を平面視略凸字形状に打ち抜き、この板材を成形加工して、底面板１６，右側面板１７，左側面板１８，及び後面板１９を構成するものである。具体的には、底面板１６と右側面板１７、底面板１６と左側面板１８、及び底面板１６と後面板１９のそれぞれ稜線部分ｃ，ｄ，ｅを折り曲げ加工し、いわゆる折り曲げ稜線部と成して、本体外郭部材３を形成する。
【００１７】
図５は、本実施例に係る本体外郭部材の組立斜視図である。同図に示すように、本体外郭部材３は、矢印で示すようにして、右側面板１７，左側面板１８，及び後面板１９を、それぞれ稜線部分ｃ，ｄ，ｅに沿って曲げ起こした後、後面板１９と右側面板１７との稜線、及び後面板１９と左側面板１８との稜線を接合して形成される。
【００１８】
具体的には、右側面板１７の後端部に設けた接合しろ１７ａと後面板１９の右端部との間、及び左側面板１８の後端部に設けた接合しろ１８ａと後面板１９の左端部との間に、それぞれスポット溶接Ｓを施すことにより、各稜線を接合していわゆる接合稜線部と成す。接合方法としては、スポット溶接に限定されるものではなく、可能であれば他の溶接方法や、ロウ付け，接着等の方法を用いても良い。要するに、接合部材が外部に突設しないようにすれば良い。この場合、接合部材とは溶接材料，ロウ材，接着剤等を言い、スポット溶接の場合は接合される板材自身となる。
【００１９】
以上のような接合方法を用いることにより、ネジやリベット等を使用したときのように頭部が外郭より突出することはなくなるので、加熱調理装置をキャビネットに組み込む際の、このような頭部によるキャビネットへの傷つきは排除される。
【００２０】
図６は、本実施例に係る本体外郭部材の展開斜視図であり、稜線部分に曲げ容易加工を施した場合を示している。同図に示すように、底面板１６と右側面板１７、底面板１６と左側面板１８、及び底面板１６と後面板１９のそれぞれ稜線部分ｃ，ｄ，ｅに沿って、破線状（点線状でも良い）に断続する穴２０を設けたいわゆる曲げ容易加工を施している。
【００２１】
これにより、板の曲げ部の長さが実質的に短くなるので、人の手のような小さい力によっても、矢印で示すように、右側面板１７，左側面板１８，及び後面板１９を、それぞれ稜線部分ｃ，ｄ，ｅに沿って曲げ起こすことができる。また、このような構成とすることにより、本体外郭部材３はほぼ平板状のままで成形加工場から組立加工場に輸送することができるので、箱状に組み立ててから輸送する場合に対して、一度に大量の輸送が可能になる。
【００２２】
また、組立加工場において人の手でも容易に折り曲げができるようにしているため、本体外郭部材３は平板状のままでこれに各部品を組み込み、最後にそれらを包み込むようにして右側面板１７，左側面板１８，及び後面板１９を曲げることが可能になり、組立作業が簡便化される。
【図面の簡単な説明】
【００２３】
【図１】本発明の一実施例に係る加熱調理装置の外観斜視図（設置状態）。
【図２】本発明の一実施例に係る加熱調理装置の外観斜視図（本体）。
【図３】電磁調理器等における本体外郭部材の材料取り概略図。
【図４】本実施例に係る本体外郭部材の展開斜視図。
【図５】本実施例に係る本体外郭部材の組立斜視図。
【図６】本実施例に係る本体外郭部材の展開斜視図（曲げ容易加工時）。
【図７】従来の電磁調理器の分解斜視図。
【図８】従来の電磁調理器における本体外郭部材の分解斜視図。
【図９】電子レンジ等における本体外郭部材の材料取り概略図。
【符号の説明】
【００２４】
１    電磁調理器
２    キャビネット
３    本体外郭部材
４    グリル手段
５    グリルヒーター
６    グリル排気ダクト
７    高周波発振基板
８    冷却ファン
９    加熱コイル
１０    ラジエントヒーター
１１    トッププレート
１２    排気カバー
１３    前面飾り枠
１４    コントロールパネル
１５    グリル扉
１６    底面板
１７    右側面板
１８    左側面板
１９    後面板
２０    穴
【図１】
2005077080.tif 000003
【図２】
2005077080.tif 000004
【図３】
2005077080.tif 000005
【図４】
2005077080.tif 000006
【図５】
2005077080.tif 000007
【図６】
2005077080.tif 000008
【図７】
2005077080.tif 000009
【図８】
2005077080.tif 000010
【図９】
2005077080.tif 000011